【事件の表示】
　特願２０１５−２２２９３１「自覚式検眼装置」拒絶査定不服審判事件〔平成２９年　５月２５日出願公開、特開２０１７−　８６６５２、請求項の数（３）〕について、次のとおり審決する。
【結　論】
　原査定を取り消す。
　本願の発明は、特許すべきものとする。
【理　由】
第１　手続の経緯
　本件出願（以下「本願」という。）は、平成２７年（２０１５年）１１月１３日を出願日とする特許出願であって、令和元年８月１５日付けで拒絶理由が通知され、同年１２月９日に手続補正がなされるとともに意見書が提出され、さらに、令和２年２月２５日付けで最後の拒絶理由が通知され、同年５月２８日に手続補正がなされたが、同年１０月１６日付け（送達日：同年１０月２０日）で拒絶査定がなされたところ、これに対し、令和３年１月１９日に拒絶査定不服審判請求がなされたものである。
第２　原査定の概要 
　原査定の概要は、次のとおりである。 
　本願請求項１〜３に係る発明は、以下の引用文献１〜３に記載された発明に基づいて、あるいは、引用文献２、１、３および５に記載された発明に基づいて、その発明の属する技術の分野における通常の知識を有する者が容易に発明できたものであるから、特許法第２９条第２項の規定により特許を受けることができない。
　引用文献等一覧
１　米国特許第３８７４７７４号明細書
２　特開２００４−１８０９５５号公報
３　特開２０１４−１４７４１６号公報
５　特開昭５２−５８２９１号公報
以下、「引用文献１」〜「引用文献５」という。
第３　本願発明
　本願の請求項１〜３に係る発明（以下、それぞれ「本願発明１」〜「本願発明３」という）は、令和２年５月２８日付け手続補正書により補正された特許請求の範囲の請求項１〜３に記載された事項により特定される発明であるところ、本願発明１は以下のとおりである。
「【請求項１】
　ディスプレイから視標光束を被検眼に向けて投影する投光光学系と、
　左右一対に設けられた右眼用矯正光学系と左眼用矯正光学系を有し、前記投光光学系の光路中に配置され、前記視標光束の光学特性を変化する矯正光学系と、
　前記右眼用矯正光学系を含む右眼用光路と，前記左眼用矯正光学系を含む左眼用光路と，で共有される凹面ミラーであって、前記矯正光学系によって矯正された前記視標光束を前記凹面ミラーによって、前記被検眼方向に反射することで前記被検眼に前記視標光束を導光し、前記矯正光学系によって矯正された前記視標光束の像を光学的に所定の検査距離となるように前記被検眼に導光する凹面ミラーと、
　を有し、前記被検眼の光学特性を自覚的に測定する自覚式測定手段を備える自覚式検眼装置であって、
　前記ディスプレイとは異なる光源である測定光源から前記被検眼の眼底に測定光を出射し、その反射光を撮像素子によって受光する左右一対の測定光学系を有し、前記測定光学系の光路に配置された前記凹面ミラーを介して、前記被検眼の光学特性を他覚的に測定する他覚式測定手段であって、前記撮像素子による撮像結果を解析することで前記被検眼の眼屈折力を他覚的に測定する他覚式測定手段を備え、
　前記自覚式測定手段による自覚測定及び前記他覚式測定手段による他覚測定を、被検者の眼前に前記矯正光学系を配置することなく開放状態で行うことを特徴とする自覚式検眼装置。」
　なお、本願発明２〜３は、本願発明１を限定的に減縮した発明である。
　　　
第３　引用文献の記載事項
１　本願の出願前に頒布され、原査定の拒絶理由に引用された引用文献１には、下記の事項が記載されている。なお、付記する日本語訳は、引用文献１と内容が重複した記載のある引用文献５を考慮した、当審による仮訳である。（下線は当審が付した。以下、同様）
（１−ア）
「ABSTRACT 
　An eye testing device for both subjective and objective testing of the eye is disclosed. 
Corrective optics having variable spherical and astigmatic inputs are placed at a location remote from a patient's eye. Intermediate the corrective optics fand the patient's eyes focusing optics are placed. These focusing optics are preferably in the form of a field mirror. The focusing optics focus a real image of the corrective optics to the patient's eye. A projector projects a real image through the corrective optics to a specifically coherent real image location between the corrective optics and the patient. For subjective eye testing, the corrective optics are varied responsive to subjective patient visual acuity to provide the desired prescription. For objective eye testing, a projector acts as a light source typically projecting an image on the retina of the eye through and into an examiner-patient light path. The corrective optics -- placed at the remote location between the examiner and projector on one hand, and the patient on the other hand -- are varied responsive to objective patient visual acuity, usually determined by conventional retinoscopic techniques.
（当審による仮訳：要約　眼の自覚的検査および他覚的検査のための検査装置が開示されている。
可変な球面度数および乱視度数が入力される補正光学系が、患者の眼から遠く隔れた位置に置かれている。補正光学系と患者の眼との中間に集光光学系が置かれている。これらの集光光学系は視野鏡の形をとるのが好ましい。集光光学系は補正光学系の実像を患者の眼のところに結ぶ。投影機が、補正光学系と患者との間で一貫した実像位置に、補正光学系を通して実像を投影する。自覚的な眼検査に関して、所望の処方を与えるため自覚的な患者の視力に応じて補正光学系が変えられる。他覚的な眼検査に関して、投影機は、検査者・患者間の光路を通して、また光路内に眼の網膜に像を典型的に投影する光源として作用する。一方で検査者と投影機との間の隔れた位置に、また他方で患者のところに置かれた補正光学系は、通常の検影法技術によって普通に決定される他覚的な患者の視力に応じて変えられる。
（１−イ）
「FIELD OF THE INVENTION
　
This invention relates to a single eye testing instrument providing subjective and objective eye testing of the eye including refraction, retinoscopy, opthalmoscopy, keratometry, and bimicroscopy
 functions.
（当審による仮訳：本発明の技術分野
本発明は、屈折力検査、検影法、眼底検査、角膜曲率測定と生体顕微鏡検査を含む、自覚的および他覚的眼検査を提供する一体型眼検査装置に関する。
（１−ウ）
「FURTHER INVENTION FEATURES
　An advantage of this invention is that it provides in a single instrument facilities for subjective eye testing including subjective refraction and facilities for objective eye testing and examination including retinoscopy, keratometry, and biomicroscopy functions.
　An additional advantage of this invention is that it avoids in the office of the opthalmologist, optometrist or other eye examiner a multiplicity of instruments. Rather, the most conventional forms of eye testing can be placed into one single instrument. This single instrument, through manipulation, can be made to perform most conventional eye tests.
　
An additional advantage of this invention is the avoidance of artificial focus inputs into the eye caused by bulky instrumentation immediate a person's face. The eye testing device of this invention requires nothing to be mounted immediately in front of a person's eyes or on his face. Artificial and subconscious focus inputs of the patient can be minimized.
（当審による仮訳：更なる発明の特徴
　この発明の有利な点は、自覚的屈折力検査を含む自覚的眼検査用の設備および、他覚的眼検査ならびに検影法、眼底検査、角膜曲率測定と生体顕微鏡検査を含む検査用の設備を単一の器械にて提供することである。
　この発明の追加的有利性は、眼科医、検眼士あるいは他の眼検査者のオフィスにおいて、器械の多様性を回避することである。むしろ、眼検査用のごく普通の複数のものが、単一の器械に置き換え可能である。この単一の器械は、ごく普通の眼検査を実行することができる。
　
この発明の追加的有利性は、患者の顔近くの嵩張った機器によって引き起こされる不自然な焦点入力の回避である。本発明の検眼装置は、顔あるいは眼の直前に装備される物を要求しない。不自然で無意識な焦点入力が最小化される。
（１−エ）
「
Projector Q is a projection apparatus. A light source 18 and light projecting optics 19, 20, 21 and 22 function together to project an image of a slide 25. Projecting optics 19, 20, 21 and 22 are adjusted relative to slide 25 so as to project a real image R, hereshown as the letter R to focus at a near infinite distance.
（当審による仮訳：
投影機Ｑは投影装置である。光源１８及び光投影光学系１９，２０、２１はスライド２５の像を投影するように共同で作用する。ここでは文字Ｒで示されている実像Ｒを投影してほぼ無限の距離に集光させるように投影光学系１９，２０、２１および２２がスライド２５に相対的に調整される。
（１−オ）
「Corrective optics C are illustrated in two locations. For the purposes of a preliminary understanding of this invention, the corrective optics C in the projector Q-patient P light path will first be discussed. Beam-splitter B, specialized optics S, and interocular drive I will all be ignored with stress only being given to focusing optics F. Thereafter, and with reference to the patient P-examiner E light path, the function of interocular drive I, specialized optics S, and beam-splitting optics B will all thereafter be set forth.
　
Corrective optics C consists of relatively movable variable focal length or variable spherical optics 40 for the eye path of patient eye 14 and relatively movable variable focal length or variable spherical optics 41 for the eye path of patient eye 15. Both of these optics consist of paired variable focal length lenses which move relative to one another to achieve the desired spherical correction necessary to prescribe for the patient.
　Additionally, astigmatic inputs for correction of patient P astigmatism are required. These astigmatic inputs occur at relatively movable lens pairs 42 and 44 for eye 14, and 43 and 45 for eye 15. The configuration of each of the pairs of lens optics 42-45 as well as the effect of correction which occurs upon lens optic relative movement is fully described in William E. Humphrey U.S. Pat. No. 3,751,138 entitled Variable Anamorphic Lens and Method for Constructing Lens (Patent Application Ser. No. 235,134, filed Mar. 16, 1972).
　One comment can be made about the astigmatism generated by variable astigmatic lens pairs 42 and 43 on one hand, and 44 and 45 on the other hand. Typically these variable astigmatic lenses are selected so that variable astigmatic lens pairs 40 and 42, for example, generate astigmatism along rotational alignments 45.degree. one from another. 
Thus by relative movement of the lens pairs of each of the elements 42-45, virtually all optically practical astigmatic prescriptions can be generated.
（当審による仮訳：補正光学系Ｃは２つの位置に示されている。本発明の予備的理解のため、投影機Ｑ−患者Ｐ間の光路における補正光学系Ｃがまず論ずる。ビーム・スプリッターＢ、特別光学系Ｓおよび眼間駆動部Ｉは、共に集光光学系Ｆに対する重要性のみから度外視する。その後、患者Ｐ−検査者Ｅ間の光路に関連して、眼間駆動部Ｉ、特別光学系Ｓおよびビーム分割光学系Ｂの作用が一緒に説明される。
　
補正光学系Ｃは患者の眼１４の視線について相対的に可動の可変焦点距離あるいは可変球面の光学系４０と、患者の眼１５の視線について相対的に可動の可変焦点距離あるいは可変球面の光学系４１とからなる。これらの光学系は共に患者の処方に必要な所望の球面補正を達成するため相互に相対的に動く対をなした可変焦点距離のレンズからなる。
　更に患者Ｐの乱視補正のため乱視入力が必要である。これらの乱視入力は眼１４について４２及び４４、また眼１５について４３及び４５の相対的に可動なレンズ対で生ずる。レンズの相対的運動で生ずる補正効果と同じく各対のレンズ光学系４２−４５の形状は「可変円柱レンズ及びその製法」という名称のウイリアムＥ．ハンフリーの米国特許第３，７５１，１３８号に十分に説明されている。
　一方において４２及び４３の、また他方において４４及び４５の可変乱視レンズ対により生ずる乱視について一言なされよう。典型的にはこれらの可変レンズは、例えば可変乱視レンズ対４０及び４２が相互に４５°の角度配置の方向に乱視を生ずるように選択される。
かくして素子４２−４５の各々のレンズ対の相対的運動によって実質的に全ての光学的に実用的な乱視処方が生じ得る
（１−カ）
「
Field mirror 50 is a concave mirror.
（当審による仮訳：
視野鏡５０は、凹面鏡である。
（１−キ）
「Understanding this much of the invention set forth, and ignoring beam-splitter B and the observing light path O to examiner E, a subjective refraction of patient P can now be discussed.
　
Basically, patient P is asked to look at the real image R projected on focusing optics F. Thereafter, spherical correction is made by relative movement of the variable lens pairs 40 for patient eye 14, and 41 for patient eye 15 until optimum vision of the real image R occurs.
　Typically, the lens sequence of operations of relatively moving lens pairs 40, 42 and 44 will be repeated twice to obtain an optimum refraction for patient eye 14. Similar repeat of the sequence of operations of adjustment of relatively moving lens pairs 41, 43 and 45 will be made to achieve adjustment for eye 15.
　It will be understood by those skilled in the art that dependent upon the magnification of the focusing optics F hereshown as field mirror 50, the amount of correction actually placed into the corrective optics C will provide a different effective correction to the patient P at the patient viewing station. Usually the instrument will be constructed for unit magnification. In these circumstances, the diopter correction applied at the corrective optics C will relate precisely to the effective diopter correction that the patient views.
　Where, however, the effective magnification of the focusing optics is other than unity, the diopter correction for the patient Dp is related to the diopter correction at the corrective optics Dc as follows: Dp = Dc(M.sup.2) where M is the ratio of the focusing optics (field mirror) to corrective optics distance over the focusing optics to patient eye distance.
　Having set forth the function of this instrument to provide a subjective refraction, attention can now be given to the examiner-patient light path. Typically, the examiner-patient light path is detoured at a beam-splitter B. It will be observed that the detour of beam-splitter B is between corrective optics C at lenses 40-45 and the patient P. There is an important reason for this placement.」（６頁８欄５８行〜７頁９欄３５行）
（当審による仮訳：説明された発明のこの多様性を理解し、ビームスプリッターＢと検査者Ｅへの観察光路Ｏを無視しながら、患者Ｐの自覚的屈折力測定を今議論できる。
　
基本的に患者Ｐは集光光学系Ｆに投影された実像Ｒを見るように言われる。その後、実像Ｒが最もよく見えるようになるまで患者の眼１４のレンズ４０と患者の眼１５のレンズ４１との可変レンズ対の相対的運動により球面補正がなされる。
　典型的には患者の眼１４の最適屈折を得るため相対的に動くレンズ対４０、４２及び４４のレンズ操作の手順が２度繰返されよう。眼１５の調整をなすために相対的に動くレンズ対４１，４３及び４５の調整操作の手順の同様な繰返しがなされよう。
　ここでは視野鏡５０として示された集光光学系Ｆの倍率により実際に補正光学系Ｃに入る補正の量が患者の観察ステーションにおける患者Ｐへの異なる有効補正を与えることが当事者に理解されよう。これらの条件において、補正光学系Ｃに適用されるジオプトリー補正は患者が観察する有効ジオプトリー補正に密接に関連するであろう。
　しかしながら、補正光学系の有効倍率が１でなければ、患者のジオプトリー補正Ｄｐは補正光学系におけるジオプトリー補正と次のように関係する。Ｄｐ＝Ｄｃ（Ｍ２）ここでＭは集光光学系（視野鏡）から補正光学系までの距離の、集光光学系から患者の眼までの距離に対する比である。
　自覚的屈折力測定を与えるための本発明の装置の作用を説明したので、ここで検査者−患者間の光路に注意を向けることができる。典型的には検査者−患者間光路はビームスプリッターＢで迂回される。ビームスプリッターＢ迂回はレンズ４０−４５における補正光学系Ｃと患者Ｐとの間にあることが分かるであろう。この配置には重要な理由がある。）
（１−ク）
「
To provide an objective eye examination of patient P it is necessary that the examiner E look through corrective optics C, which corrective optics C are identical to those corrective optics through which projector Q projects the real image R. Accordingly on each side of beam-splitter B there are provided identical relatively moving variable lens pairs corresponding to each of the variable lens pairs previously described.
　It is not intended to exclude the possibility of placing the beam-splitter between a single corrective optics C and projector Q; however, present day antireflective coatings are not sufficiently effective to provide as high a quality result as the approach hereshown.
　Take the case of eye 14 and variable spherical optics 40, and variable astigmatic optics 42 and 44. Typically, variable spherical optics 46 identical to variable spherical optics 40 are provided. Similarly, variable astigmatic optics 48 identical to variable astigmatic optics 42 are provided. Finally, variable astigmatic optics 52 identical to variable astigmatic optics 44 are provided.
　It will be remembered that each of the variable lens pairs comprises two pieces of relatively moving glass which generate the variable lens effect, be it astigmatism or conventional spherical lens correction. Accordingly, it is desirable to use identical lens elements for each of the correspondent pairs of optics above mentioned. Furthermore, it is desirable to produce precisely identical relative movement between the relatively moving lens pairs.
　Precisely identical lens movement must occur between the relatively moving pieces of glass of lens pairs 40 and the relatively moving pieces of glass of lens pairs 46. Similarly, precisely identical lens movement between the relatively moving pieces of glass pairs 42 must be identical to the movement of the pieces of lens pairs 48. Finally, precisely identical movement between the pieces of glass of lens pairs 44 must be identical to the relative movement of the pieces of glass of lens pairs 52. A mechanism which produces this movement can be seen with reference to FIG. 2.」（７頁９欄６２行〜同頁１０欄３４行）
（当審による仮訳：
患者Ｐの眼の他覚的検査を与えるために、投影機Ｑが実像Ｒを投影する補正光学系と同等の補正光学系Ｃを通して検査者Ｅが見えることが必要である。従って、ビームスプリッターＢの各側に前述した可変レンズ対の各々に対応する同等の相対的に可動な可変レンズ対が設けられている。
　１つだけの補正光学系Ｃと投影機Ｑとの間にビームスプリッターを置く可能性を除くことは考えない。しかし今日ここに示された方法と同じく高い性能結果を与えるのに反射防止膜は十分効果的とはいえない。
　眼１４と可変球面光学系４０、可変乱視光学系４２及び４４の場合を考えてみる。典型的には可変球面光学系４０と同等の可変球面光学系４６が設けられている。同様に可変乱視光学系４２と同等の可変乱視光学系４８が設けられている。最後に可変乱視光学系４４と同等の可変乱視光学系５２が設けられている。
　可変レンズ対の各々は、乱視補正であれ、従来の球面レンズ補正であれ可変レンズ効果を生ずるガラス等の相対的に動く光学部材２枚からなることが想起されよう。従って上記の対応する光学系の対の各々について同等のレンズ素子を用いるのが望ましい。更に相対的に動くレンズ対間に正確に同等な相対的運動を生ずるのが望ましい。
　相対的に動くレンズ対４０のガラス片と相対的に動くレンズ対４６のガラス片との間に正確に同等なレンズ移動が生じなければならない。同様に相対的に動くガラス対４２の片間の正確に同等なレンズ移動はレンズ対４８の片の移動と同等でなければならない。最後にレンズ対４４のガラス片間の正確に同等な移動はレンズ対５２のガラス片の相対的移動と同等でなければならない。この動きを生ずる機構が図２に示されている。）
（１−ケ）
「Ｆｉｇ．１
」
２　本願の出願前に頒布され、原査定の拒絶理由に引用された引用文献２には、下記の事項が記載されている。
（２−ア）
「【０００１】
【発明の属する技術分野】
本発明は、被検眼の屈折力を少なくとも自覚的に測定することが可能な検眼装置に関する。
（２−イ）
「【００１２】［第１の実施の形態］〔全体構成〕図１は、本発明の第１の実施形態の検眼装置１の全体構成の概略を示す透視図である。
検眼装置１は、被検者が単独で、または、複数の被検者をガイドするアシスタントがついた状況において、自覚的および他覚的屈折力測定に加えて乱視検査も行うことが可能な装置である。
自覚的測定を行い、さらに続いて乱視検査で乱視度数等を求めたのち、球面度数の調整を行い、最後に求められた度数で視力検査を行う
【００１３】
検眼装置１は、ケーブルＣａを介してコンピュータＣに接続されている。後述する図４に示すように、コンピュータＣには、演算処理手段としてのＣＰＵＣ１と、ハードディスクやＲＯＭ等の記憶装置Ｃ２とが格納されており、ＣＰＵＣ１は、記憶装置に記憶されたアプリケーションソフトウェアに則って検眼装置１の動作を制御するようになっている。上記アプリケーションソフトウェアには、検眼装置１が自動的に検眼を行うためのプログラム、即ち、他覚的屈折力測定、
自覚的屈折力測定、乱視検査、球面度数の調整および最終的な視力検査の各工程を行う
【００１４】
検眼装置１は、本体２と一対のヘッドからなるヘッド部３とから構成される。ヘッド部３は、左眼用ヘッド３Ｌおよび右眼用ヘッド３Ｒからなる。筐体４には、左眼用ヘッド３Ｌおよび右眼用ヘッド３Ｒをそれぞれ独立に上下前後左右、つまり３次元的に駆動させる架台部５Ｌおよび５Ｒと、コンピュータＣから送信される制御信号に従って検眼装置１の各部を動作させる電装部６とが格納されている。また、筐体４の上面（透視されている。）には、被検者の操作に供されるジョイスティック７と、被検者の顔を固定するための顎受け８とが取り付けられている。
【００１５】
ヘッド部３には、各種レンズや光源、ミラー等を含んで構成された、検眼を行うための後述の図２に示す光学系１０が内蔵されている。また、左眼用ヘッド３Ｌには被検者の左眼ＥＬに、右眼用ヘッド３Ｒには右眼ＥＲにそれぞれ対向配置されるプリズムＰＬ、ＰＲが取り付けられている。
【００１６】
〔光学系の構成〕
以下、ヘッド部３に内蔵された光学系の構成について詳細に説明をする。
ここで、左眼用ヘッド３Ｌと右眼用ヘッド３Ｒとに内蔵される光学系は左右対称に設けられており実質的な差違はないものであるので、右眼用ヘッド３Ｒに内蔵される光学系についての説明のみを行い、左眼用ヘッド３Ｌに関しては省略する
（２−ウ）
「【００１９】
測定光束投影光学系１２は、被検眼Ｅの他覚的屈折力を測定するための視標を投影する光学系であり、赤外ＬＥＤ等の測定用光源２９と、コリメータレンズ３０と、円錐プリズム３１と、視標である測定リングターゲット３２と、リレーレンズ３３と、瞳リング絞り３４と、三角プリズム３５と、ダイクロイックミラー３６および２１と、対物レンズ２０とをこの順番で含んで構成される。なお、瞳リング絞り３４の一面には、図５にあるように、測定用光源２９からの光束を透過するリング状の透過部３４ａを形成するようにエッチングが施されており、また、この面は被検眼Ｅと共役な位置に配置されている。
【００２０】
受光光学系１３は、被検眼Ｅの屈折力を測定する際の被検眼Ｅからの反射光束を受光するための光学系であり、その構成としては、対物レンズ２０と、ダイクロイックミラー２１および２６と、三角プリズム３５（の中央に形成された透孔３５ａ）と、反射ミラー３７と、リレーレンズ３８と、図示しないパルスモータに駆動されて被検眼Ｅの屈折力に対応して移動する移動レンズ３９と、反射ミラー４０と、ダイクロイックミラー２６と、結像レンズ２７と、ＣＣＤ２８とをこの順番で含んでいる。
【００２１】
視標投影光学系１４は、視力検査に使用される視標や固視標を含む各種視標を被検眼Ｅに投影するとともに、雲霧を作用させるための光学系であって、光源であるランプ４１と、コリメータレンズ４２と、各種視標を選択的に配置可能な視標配置手段としての視標板４３と、ダイクロイックミラー４４と、反射ミラー４５と、図示しないパルスモータに駆動され、検眼の際に様々な屈折力を被検眼Ｅに適用するために移動可能に設けられた移動レンズ４６と、リレーレンズ４７および４８と、被検眼Ｅの乱視の補正に供されるバリアブルクロスシリンダ４９と、反射ミラー５０と、ダイクロイックミラー３６および２１と、対物レンズ２０とをこの順番で含んで構成されている。
移動レンズ４６を被検眼Ｅ寄りに移動させると屈折力をマイナス側に、被検眼Ｅから離反する方向に移動させると屈折力をプラス側にそれぞれ変位させることができ、これにより雲霧を作用させることが可能となる。
【００２２】
バリアブルクロスシリンダ４９は、円柱の軸に直交する方向にそれぞれ正の屈折力を有する円柱レンズ４９ａおよび負の屈折力を有する円柱レンズ４９ｂとを含んで構成されている。
（２−エ）
「【００２８】
なお、プリズムＰＲは、上記の光学系１１ないし１８の全てに含まれているものとし、各光学系により伝達される光束の進行方向を変更することで、被検眼Ｅに対して適正に入射、出射するように作用する。
（２−オ）
「【００３３】
（他覚的検眼工程）
【００３４】
次に、被検眼Ｅの屈折力を測定する。そのために、測定用光源２９を点灯し、瞳リング絞り３４の透過部３４ａを透過するリング状の光束を被検眼Ｅに投影する。被検眼Ｅの眼底で反射された上記リング状の光束は、被検眼Ｅの屈折力によりその形状を歪められている。歪んだリング状の光束は、受光光学系１３を経由してＣＣＤ２８に結像される。撮像されたリング状の光束の歪みを解析することによって被検眼Ｅの屈折力が算出される。
（２−カ）
「【図２】
」
（２−キ）
「【図３】
」
３　本願の出願前に頒布され、原査定の拒絶理由に引用された引用文献３には、下記の事項が記載されている。
（３−ア）
「【００１６】
＜視標投光系＞ 図２を用いて視標投光系１０を説明する。視標投光系１０は、例えば、視標投光部１１と、ハーフミラー１４、凹面鏡１５、駆動部１６等によって構成される。視標投光部１１は、例えば、光源１２、液晶ディスプレイ１３等で構成され、検査視標を投光する。
【００１７】
液晶ディスプレイ１３は、例えば、２枚のガラス板の間に特殊な液体を封入し、電圧をかけることによって液晶分子の向きを変え、光の透過率を増減させることで像を表示する構造になっている。光源１２からの出射光が液晶ディスプレイ１３を透過することで、表示された像を投影することができる。
【００１８】
視標投光部１１は、球面度数、円柱度数、円柱軸等の検出のため各種の検査視標を投光することができる。これらの検査視標は、例えば、ディスプレイ１３の表示が制御部９０によって制御されることで選択され、光源１２によって投影される。」
（３−イ）
「【００２１】
＜矯正光学系＞　一対の矯正光学系２０Ｒ，２０Ｌは球面度数、円柱度数、円柱軸等を矯正する。矯正光学系２０Ｒは右眼測定用、矯正光学系２０Ｌは左眼測定用であり、これらは光学的に同一の構成になっている。図３は矯正光学系２０Ｒ，２０Ｌを図２のＢ方向から見た概略図である。
【００２２】
図３に示すように矯正光学系２０Ｒ，２０Ｌの検査光路をそれぞれ光路Ｌ１，光路Ｌ２とすると、光路Ｌ１と光路Ｌ２の間の距離Ｄは、被検者の瞳孔間距離に設定される。
【００２３】
矯正光学系２０Ｒを例として矯正光学系２０Ｒ，２０Ｌを説明する。矯正光学系２０Ｒに備わるレンズディスク２１Ｒには、多数の光学素子（球面レンズ、円柱レンズ、分散プリズム、等）が同一円周上に配置されている。レンズディスク２１Ｒが駆動部（アクチュエータ等）２２Ｒによって回転制御されることにより、検者が所望する光学素子が右眼用の検査光路Ｌ１に配置される。
【００２４】
また、光路Ｌ１に配置された光学素子（例えば、円柱レンズ、クロスシリンダレンズ、ロータリープリズム等）が駆動部２３Ｒによって回転制御されることにより、検者が所望する回転角度にて光学素子が光路Ｌ１に配置される。光路Ｌ１に配置される光学素子の切換え等は、コントローラ４などの入力手段（操作手段）の操作によって行われてもよい。
【００２５】
レンズディスク２１Ｒは、１つのレンズディスク、又は図３に示すように複数のレンズディスクからなる。複数のレンズディスクが配置された場合、各レンズディスクに対応する駆動部２２ａＲ〜２２ｄＲがそれぞれ設けられる。例えば、レンズディスク群として、各レンズディスクが開口（又は０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、複数種類の補助レンズを有する補助レンズディスクが代表的である。補助レンズディスクには、赤フィルタ／緑フィルタ、プリズム、クロスシリンダレンズ、偏光板、マドックスレンズ、オートクロスシリンダレンズの少なくともいずれかが配置される。また、円柱レンズは、駆動部２２ａＲにより光軸Ｌ１を中心に回転可能に配置され、ロータリプリズム及びクロスシリンダレンズは、駆動部２３ｂＲ，２３ｃＲにより各光軸を中心に回転可能に配置されてもよい。
【００２６】
上記の構成によって、右眼測定用矯正光学系２０Ｒは球面度数、円柱度、円柱軸、プリズム値などの屈折状態を独立別個に矯正し得るように構成されているが、左眼用測定用光学系２０Ｌも同様に説明できるので、その詳細は省略する。なお、各矯正光学系２０Ｒ，２０Ｌは被検眼ＥＲ，ＥＬの瞳孔間距離ＰＤに合致できるよう両者の距離を調節可能としてもよい。」
（３−ウ）
「【００２８】
＜リレー光学系＞　図２に示すように、リレー光学系３０は、例えば、ハーフミラー３１、凹面鏡３２、追尾用ミラー３３、凹面鏡３４、追尾用ミラー３３を下方（Ｙ方向）に移動可能な移動機構３５から構成されてもよい。移動機構３５には駆動部３６が備わり、追尾用ミラー３３を下方（Ｙ方向）に移動させる。
【００２９】
移動機構３５は、被検眼Ｅに向けて視標光束を投光するための光路を切り換える光路切換手段である。例えば、移動機構３５は、視標光束を水平方向から被検眼Ｅに向けて投光するための第１光路と、水平方向に対して下方に傾斜した方向から被検眼Ｅに投光するための第２光路とを切り換える。移動機構３５は、例えば、光学部材（追尾用ミラー３３等）の配置を変更し、視標光束の光路を切り換える。
【００３０】
１対の矯正光学系２０Ｒ，２０Ｌを通過した各光束は、ハーフミラー３１を通過し、凹面鏡３２によって反射され集光する。そして、光束はハーフミラー３１によって反射され、追尾用ミラー３３を通過する。追尾用ミラー３３を通過した光束は、凹面鏡３４によって反射される。そして、その反射光は、追尾用ミラー３３によって反射され、被検眼ＥＲ，ＥＬに到達し、両眼底上に視標の像を形成させる。
【００３１】
また、矯正光学系２０Ｒ，２０Ｌを通過した各光束は、リレー光学系３０により共通にリレーされ両被検眼ＥＲ，ＥＬの眼鏡装用位置（例えば、角膜頂点から１２ｍｍ程度）に矯正光学系２０Ｒ，２０Ｌの像が形成されるようになっている。従って、矯正光学系２０Ｒ，２０Ｌがあたかも眼前に配置されたことと等価になっており、被検者は追尾用ミラー３３を介して自然の状態で視標の像を視準することができる。
【００３２】
こうして、被検者は自然視の状態で視標を直視しつつ検者に対する応答を行い、検査視標が適正に見えるまで矯正光学系２０Ｒ，２０Ｌによる矯正を図り、その矯正値に基づいて屈折度数測定を行うようになっている。」
（３−エ）
「【００５５】
次にＸＹ方向の眼位置の検出を行う。孔４２ａを通過した光源４１からの光束は、ハーフミラー４４、集光レンズ４５を通過し、例えば、受光素子４６の表面上の点Ｇに集光する（図６参照）。受光素子４６はこのときの受光信号を制御部９０に送る。制御部９０は受光信号を受け取り、点Ｇの基準点Ｏからのずれ量ΔＸ´ｇ，ΔＹ´ｇとずれた方向を算出する。
（３−オ）
「【図２】
」
第４　引用発明
１　引用発明１
（１）上記記載事項（１−ア）の「本発明は、
屈折力検査、検影法、眼底検査、角膜曲率測定と生体顕微鏡検査を含む、自覚的および他覚的眼検査を提供する一体型眼検査装置
（２）上記記載事項（１−エ）の「
投影機
スライド２５の像を投影
文字Ｒで示されている実像
（３）上記記載事項（１−オ）の「
補正光学系Ｃ
眼１４の視線について相対的に可動の可変焦点距離あるいは可変球面の光学系４０
眼１５の視線について相対的に可動の可変焦点距離あるいは可変球面の光学系４１
患者の処方に必要な所望の球面補正
４２−４５の各々のレンズ対
光学的に実用的な乱視処方
（４）上記記載事項（１−ア）の「可変な球面度数および乱視度数が入力される
補正光学系
視野鏡
投影機が補正光学系と患者との間で一貫した実像位置に、補正光学系を通して実像を投影する
凹面鏡
患者の眼１４の視線
光学系４０
患者の眼１５の視線
光学系４１
（５）上記記載事項（１−ア）の「
自覚的な眼検査
自覚的屈折力測定
球面補正
乱視補正
（６）上記記載事項（１−ア）の「
他覚的な眼検査
投影機
眼の網膜に像を典型的に投影する光源
検影法技術
他覚的検査
投影機Ｑが実像Ｒを投影
（７）上記記載事項（１−ウ）の「この発明の有利な点は、自覚的屈折力検査を含む
自覚的眼検査用の設備
他覚的眼検査
検査用の設備
患者の顔近くの嵩張った機器
顔あるいは眼の直前に装備される物を要求しない
（８）上記（１）〜（７）によれば，引用文献１には，次の発明が記載されていると認められる。
「屈折力検査、検影法、眼底検査、角膜曲率測定と生体顕微鏡検査を含む、自覚的および他覚的眼検査を提供する一体型眼検査装置であって、
　スライドから文字Ｒで示されている実像を患者の眼に向けて投影する投影機と、
　左右一対に設けられた右眼用補正光学系と左眼用補正光学系を有し、投影機−患者間の光路中に配置され、前記投影機からの光束の光学特性を変化する補正光学系と、
　前記右眼用補正光学系を含む右眼用光路と，前記左眼用補正光学系を含む左眼用光路と，で共有される視野鏡（凹面鏡）であって、患者の眼方向に反射することで前記患者の眼に前記投影機からの光束を導光し、前記補正光学系によって補正された前記投影機からの光束の実像を光学的に所定の検査距離となるように前記患者の眼に導光する視野鏡（凹面鏡）と、
　を有し、患者の眼の屈折力を自覚的に測定する自覚式屈折力測定手段と、
　前記投影機の光源から前記被検眼の眼底に測定光を出射し、その反射光を検査者によって観察し、前記検査者−患者間の光路に配置された前記視野鏡（凹面鏡）を介して、前記患者の眼の屈折力を他覚的に測定する他覚式測定手段であって、前記検査者による観察結果を解析することで前記患者の眼の屈折力を他覚的に測定する他覚式屈折力測定手段を備え、
　前記自覚式屈折力測定手段による自覚測定及び前記他覚式屈折力測定手段による他覚測定を、前記患者の眼前に補正光学系を配置することなく開放状態で行う、
一体型検眼装置。」（以下「引用発明１」という）
２　引用発明２
（１）上記記載事項（２−ア）の「本発明は、
被検眼の屈折力を少なくとも自覚的に測定することが可能な検眼装置
（２）上記記載事項（２−ウ）の「【００２１】
視標投影光学系
各種視標を被検眼Ｅに投影
各種視標を選択的に配置可能な視標配置手段としての視標板
（３）上記記載事項（２−イ）の「【００１６】・・・・・ここで、左眼用ヘッド３Ｌと右眼用ヘッド３Ｒとに
内蔵される光学系は左右対称に設けられており実質的な差違はない
視標投影光学系
各種視標を被検眼Ｅに投影する
検眼の際に様々な屈折力を被検眼Ｅに適用するために移動可能に設けられた移動レンズ
被検眼Ｅの乱視の補正に供されるバリアブルクロスシリンダ
移動レンズ
バリアブルクロスシリンダ
正の屈折力を有する円柱レンズ
負の屈折力を有する円柱レンズ
（４）上記記載事項（２−イ）の「【００１５】・・・・・また、左眼用ヘッド３Ｌには被検者の左眼ＥＬに、右眼用ヘッド３Ｒには右眼ＥＲにそれぞれ
対向配置されるプリズムＰＬ、ＰＲ
各光学系により伝達される光束の進行方向を変更
被検眼Ｅに対して適正に入射、出射
（５）上記記載事項（２−イ）の「【００１２】・・・・・
自覚的測定
自覚的屈折力測定
（６）上記記載事項（２−ウ）の「【００１９】測定光束投影光学系１２は、被検眼Ｅの
他覚的屈折力を測定
測定用光源
測定用光源２９からの光束
被検眼Ｅからの反射光束を受光するための光学系
ＣＣＤ
他覚的検眼
被検眼Ｅの屈折力
ＣＣＤ２８に結像
被検眼Ｅの屈折力
（７）上記記載事項（２−イ）の「【００１２】・・・・・検眼装置１は、被検者が単独で、または、複数の被検者をガイドするアシスタントがついた状況において、
自覚的および他覚的屈折力測定
対向配置されるプリズムＰＬ、ＰＲが取り付けられている。
（８）上記（１）〜（７）によれば，引用文献２には，次の発明が記載されていると認められる。
「被検眼の屈折力を少なくとも自覚的に測定することが可能な検眼装置であって、
　視標板から各種視標を被検眼に投影する視標投影光学系と、
　左右一対に設けられた光学系であって、前記視標投影光学系の光路中に配置され、被検眼に投影する視標を光学的変化させる、検眼の際に様々な屈折力を被検眼に適用するために移動可能に設けられた移動レンズおよび正・負の屈折力を有する円柱レンズを有する光学系と、
　右眼用光路と左眼用光路とに，それぞれ配置されるプリズムであって、光学系によって光学的に変化された前記視標をプリズムによって、前記被検眼方向に反射することで前記被検眼に前記視標を導光するプリズムと、
　を有し、被検眼の光学特性を自覚的に測定する自覚的屈折力測定手段と備え、
　測定用光源から被検眼の眼底にリング状の光束を投影し、その反射光をＣＣＤによって受光する左右一対の光学系を有し、前記光学系の光路に配置されたプリズムを介して、前記被検眼の屈折力を他覚的に測定する他覚式屈折力測定手段であって、前記撮像素子による撮像結果を解析することで前記被検眼の屈折力を他覚的に測定する他覚式屈折力測定手段を備え、
　前記自覚式屈折力測定手段による自覚測定及び前記他覚式測定手段による他覚測定を、被検者の眼前にプリズムのみを配置することにより行う、
　検眼装置。」
（以下「引用発明２」という）
第５　当審の判断
１　引用発明１を主引用発明とした場合
（１）引用発明１との対比
　ア　引用発明１の「自覚的および他覚的眼検査を提供する一体型眼検査装置」は，「自覚的眼検査」が可能であるものの、「他覚的眼検査」の際には「検眼者」が必須であるから、自動の「他覚的測定手段」を備えた本願発明１と同様の「自覚式検眼装置」とはいえないものの、上位概念の「検眼装置」の点で一致するといえる。
　イ　記載事項（１−キ）の「基本的に
患者Ｐは集光光学系Ｆに投影された実像Ｒを見る
　ウ　引用発明１の「補正」と本願発明１の「矯正」とは、技術的に同義であるといえる。そうすると、引用発明１の「左右一対に設けられた右眼用補正光学系と左眼用補正光学系を有し、投影機−患者間の光路中に配置され、前記投影機からの光束の光学特性を変化する補正光学系」は，本願発明１の「左右一対に設けられた右眼用矯正光学系と左眼用矯正光学系を有し、前記投光光学系の光路中に配置され、前記視標光束の光学特性を変化する矯正光学系」に相当するといえる。
　エ　引用文献１の図１からみて、引用発明１の「視野鏡（凹面鏡）」が本願発明１の「凹面ミラー」に相当することは明らかであるから、引用発明１の「前記右眼用補正光学系を含む右眼用光路と，前記左眼用補正光学系を含む左眼用光路と，で共有される視野鏡（凹面鏡）であって、患者の眼方向に反射することで前記患者の眼に前記投影機からの光束を導光し、前記補正光学系によって補正された前記投影機からの光束の実像を光学的に所定の検査距離となるように前記患者の眼に導光する視野鏡（凹面鏡）」は、本願発明１の「前記右眼用矯正光学系を含む右眼用光路と，前記左眼用矯正光学系を含む左眼用光路と，で共有される凹面ミラーであって、前記矯正光学系によって矯正された前記視標光束を前記凹面ミラーによって、前記被検眼方向に反射することで前記被検眼に前記視標光束を導光し、前記矯正光学系によって矯正された前記視標光束の像を光学的に所定の検査距離となるように前記被検眼に導光する凹面ミラー」に相当するといえる。
　オ　「眼の屈折力」が「眼の光学特性」の一種であるといえるから、引用発明１の「患者の眼の屈折力を自覚的に測定する自覚式屈折力測定手段」は、本願発明１の「前記被検眼の光学特性を自覚的に測定する自覚式測定手段」に相当するといえる。
　カ　前述と同様に、「眼の屈折力」が「眼の光学特性」の一種であるといえるから、引用発明１の「患者の眼の屈折力を他覚的に測定する他覚式屈折力測定手段」は、本願発明１の「被検眼の光学特性を他覚的に測定する他覚式測定手段」に相当し、引用発明１の「検査者−患者間の光路に配置された視野鏡（凹面鏡）」が本願発明１の「測定光学系の光路に配置された前記凹面ミラー」に相当するといえる。
　そうすると、引用発明１の「投影機の光源から患者の眼の眼底に測定光を出射し、その反射光を検査者によって観察し、検査者−患者間の光路に配置された視野鏡（凹面鏡）を介して、前記患者の眼の屈折力を他覚的に測定する他覚式屈折力測定手段であって、前記検査者による観察結果を解析することで前記患者の眼の屈折力を他覚的に測定する他覚式屈折力測定手段」と、本願発明１の「前記ディスプレイとは異なる光源である測定光源から前記被検眼の眼底に測定光を出射し、その反射光を撮像素子によって受光する左右一対の測定光学系を有し、前記測定光学系の光路に配置された前記凹面ミラーを介して、前記被検眼の光学特性を他覚的に測定する他覚式測定手段であって、前記撮像素子による撮像結果を解析することで前記被検眼の眼屈折力を他覚的に測定する他覚式測定手段」とは、上位概念である「前記被検眼の眼底に測定光を出射し、その反射光を受光する測定光学系を有し、前記測定光学系の光路に配置された前記凹面ミラーを介して、前記被検眼の光学特性を他覚的に測定する他覚式測定手段であって、前記被検眼の眼屈折力を他覚的に測定する他覚式測定手段」点で一致するといえる。
　キ　前述と同様に「補正」と「矯正」とは技術的に同義であるから、引用発明１の「前記自覚式測定手段による自覚測定及び前記他覚式測定手段による他覚測定を、前記患者の眼前に補正光学系を配置することなく開放状態で行う」は、本願発明１の「前記自覚式測定手段による自覚測定及び前記他覚式測定手段による他覚測定を、被検者の眼前に前記矯正光学系を配置することなく開放状態で行う」に相当するといえる。
　ク　上記ア〜オを総合すると、本願発明１と引用発明１とは、
（一致点）
　「視標光束を被検眼に向けて投影する投光光学系と、
　左右一対に設けられた右眼用矯正光学系と左眼用矯正光学系を有し、前記投光光学系の光路中に配置され、前記視標光束の光学特性を変化する矯正光学系と、
　前記右眼用矯正光学系を含む右眼用光路と，前記左眼用矯正光学系を含む左眼用光路と，で共有される凹面ミラーであって、前記矯正光学系によって矯正された前記視標光束を前記凹面ミラーによって、前記被検眼方向に反射することで前記被検眼に前記視標光束を導光し、前記矯正光学系によって矯正された前記視標光束の像を光学的に所定の検査距離となるように前記被検眼に導光する凹面ミラーと、
　を有し、前記被検眼の光学特性を自覚的に測定する自覚式測定手段を備える検眼装置であって、
　前記被検眼の眼底に測定光を出射し、その反射光を受光する測定光学系を有し、前記測定光学系の光路に配置された前記凹面ミラーを介して、前記被検眼の光学特性を他覚的に測定する他覚式測定手段であって、前記被検眼の眼屈折力を他覚的に測定する他覚式測定手段を備え、
　前記自覚式測定手段による自覚測定及び前記他覚式測定手段による他覚測定を、被検者の眼前に前記矯正光学系を配置することなく開放状態で行う、
検眼装置。」
の点で一致し、以下の点で相違するものと認められる。
　　　
（相違点１−１）
　「検眼装置」が、本願発明１では「自覚式検眼装置」であるのに対し、引用発明１では、「他覚的眼検査」の際には「検眼者」が必須である「自覚的および他覚的眼検査を提供する一体型眼検査装置」である点。
（相違点１−２）
　「視標光束」が、本願発明１では「ディスプレイから」であるのに対し、引用発明１では、「スライドから」である点。
（相違点１−３）
　「他覚式測定手段」が，本願発明１では「前記ディスプレイとは異なる光源である測定光源から前記被検眼の眼底に測定光を出射し、その反射光を撮像素子によって受光する左右一対の測定光学系を有し、前記測定光学系の光路に配置された前記凹面ミラーを介して、前記被検眼の光学特性を他覚的に測定する他覚式測定手段であって、前記撮像素子による撮像結果を解析することで前記被検眼の眼屈折力を他覚的に測定する」であるのに対し，引用発明１では、「測定光」の光源が「投影機の光源」（自覚式屈折力測定手段の光源）であり、「反射光」を「撮像素子によって受光する」のではなく「検眼者」により観察し、「測定光学系」が独立した「左右一対」ではない点。
（２）相違点１−１および１−３について
　請求人の主張を鑑みて、上記相違点１−１および１−３について検討する。
　上記記載事項（２−ウ）の「【００１９】
測定光束投影光学系
他覚的屈折力を測定
測定用光源
測定用光源２９からの光束は被検眼Ｅ上にリング状の投影像を提供
ＣＣＤ２８
二次元撮像素子
測定光源
エリアＣＣＤ等からなる二次元撮像素子（受光素子）
撮像素子
　しかしながら、引用発明１の「前記検査者によって観察することで前記被検眼の眼屈折力を他覚的に測定する他覚式屈折力測定手段」は、前記周知の「他覚的測定光学系」とは、「患者の眼屈折力を他覚的に測定する」という点では一致するものの、その測定手法の点、すなわち、「反射光を受光（観察）する」のが、「撮像素子」か「検眼者」かの点で大きく相違し、その基本的光学構成を異にしている。そして、引用発明１では「検査者によって観察する」ことを前提にしており、上記記載事項（１−イ）から明らかなように、
「屈折力検査」あるいは「検影法」だけでなく「眼底検査、角膜曲率測定と生体顕微鏡検査」も対象とする
引用文献１には置換する動機付けの記載・示唆も見当たらない
　また、例えば、本願の出願前に頒布された刊行物である特公昭５２−２８３１９号公報に「検眼者の代わりに光導電素子等を配置することにより
電気的に測定することも容易であり、さらに進んで自動測定も可能
自動的に屈折力を測定
自動化したオートレフラクトメータが普及
　さらに、引用文献３には、「自覚式眼屈折力測定装置」が記載されているものの、上記記載事項（３−エ）の「【００５５】次にＸＹ方向の
眼位置の検出を行う
受光素子４６
　してみると、引用文献２の記載事項および周知の事項を考慮しても、引用発明１において、相違点１−１および１−３における本願発明１の構成とすることは、当業者が容易に発明をすることができたものではない。
（３）効果について
　そして、本願発明１は、相違点１−１および１−３により，本件出願明細書の段落【０００５】に記載された「自然な状態下での
自覚式測定及び他覚式測定を可能
精度よく測定
（４）まとめ
　したがって、本願発明１は、相違点１−２について検討するまでもなく、引用発明１および引用文献２，３記載の事項に基づいて当業者が容易に発明をすることができたものではない。
２　引用発明２を主引用発明とした場合
（１）本願発明１と引用発明２との対比
　ア　引用発明２の「被検眼の屈折力を少なくとも自覚的に測定することが可能な検眼装置」は，本願発明１の「他覚式測定手段」に相当する光学系を備えているから、本願発明１の「自覚式検眼装置」に相当するといえる。
　イ　引用発明２の「各種視標を被検眼に投影する」と本願発明１の「視標光束を被検眼に向けて投影する」とは技術的に同義であるから、引用発明２の「視標板から各種視標を被検眼に投影する視標投影光学系」と「ディスプレイから視標光束を被検眼に向けて投影する投光光学系」とは、「視標光束を被検眼に向けて投影する投光光学系」の点で一致するといえる。
　ウ　引用発明２の「移動レンズおよび円柱レンズを有する光学系」は，その機能からみて、本願発明１の「矯正光学系」に相当するといえる。
　そうすると、引用発明２の「左右一対に設けられた光学系であって、視標投影光学系の光路中に配置され、検眼の際に様々な屈折力を被検眼に適用するために移動可能に設けられた移動レンズおよび正・負の屈折力を有する円柱レンズを有する光学系」は，本願発明１の「左右一対に設けられた右眼用矯正光学系と左眼用矯正光学系を有し、前記投光光学系の光路中に配置され、前記視標光束の光学特性を変化する矯正光学系」に相当するといえる。
　エ　引用発明２の「前記被検眼方向に反射することで前記被検眼に前記視標を導光するプリズム」は、「ミラー」の一種であるといえるから、引用発明２の「右眼用光路と左眼用光路とに，それぞれ配置されるプリズムであって、光学系によって光学的に変化された前記視標をプリズムによって、前記被検眼方向に反射することで前記被検眼に前記視標を導光するプリズム」と、本願発明１の「前記右眼用矯正光学系を含む右眼用光路と，前記左眼用矯正光学系を含む左眼用光路と，で共有される凹面ミラーであって、前記矯正光学系によって矯正された前記視標光束を前記凹面ミラーによって、前記被検眼方向に反射することで前記被検眼に前記視標光束を導光し、前記矯正光学系によって矯正された前記視標光束の像を光学的に所定の検査距離となるように前記被検眼に導光する凹面ミラー」とは、上位概念である「前記右眼用矯正光学系を含む右眼用光路と，前記左眼用矯正光学系を含む左眼用光路と，に配置されるミラーであって、前記矯正光学系によって矯正された前記視標光束を前記ミラーによって、前記被検眼方向に反射することで前記被検眼に前記視標光束を導光し、前記矯正光学系によって矯正された前記視標光束の像を光学的に所定の検査距離となるように前記被検眼に導光するミラー」点で一致するといえる。
　オ　引用発明２の「被検眼の光学特性を自覚的に測定する自覚的屈折力測定手段」が、その機能からみて、本願発明１の「被検眼の光学特性を自覚的に測定する自覚式測定手段」に相当することは明らかである。
　カ　引用発明２の「リング状の光束」は、本願発明１の「測定光」に相当するといえるから、引用発明２の「測定用光源から被検眼の眼底にリング状の光束を投影し、その反射光をＣＣＤによって受光する左右一対の光学系を有し、前記光学系の光路に配置されたプリズムを介して、前記被検眼の屈折力を他覚的に測定する他覚式屈折力測定手段であって、前記撮像素子による撮像結果を解析することで前記被検眼の屈折力を他覚的に測定する他覚式屈折力測定手段」と、本願発明１の「前記ディスプレイとは異なる光源である測定光源から前記被検眼の眼底に測定光を出射し、その反射光を撮像素子によって受光する左右一対の測定光学系を有し、前記測定光学系の光路に配置された前記凹面ミラーを介して、前記被検眼の光学特性を他覚的に測定する他覚式測定手段であって、前記撮像素子による撮像結果を解析することで前記被検眼の眼屈折力を他覚的に測定する他覚式測定手段」とは、上位概念である「測定光源から前記被検眼の眼底に測定光を出射し、その反射光を撮像素子によって受光する左右一対の測定光学系を有し、前記測定光学系の光路に配置された前記ミラーを介して、前記被検眼の光学特性を他覚的に測定する他覚式測定手段であって、前記撮像素子による撮像結果を解析することで前記被検眼の眼屈折力を他覚的に測定する他覚式測定手段」点で一致するといえる。
　キ　引用発明２の「プリズム」が「矯正光学系」に含まれていないといえるものの、該「プリズム」の存在が「開放状態」であるといえるかどうか不明であるから、引用発明２の「前記自覚式屈折力測定手段による自覚測定及び前記他覚式測定手段による他覚測定を、被検者の眼前にプリズムのみを配置することにより行う」と本願発明１の「前記自覚式測定手段による自覚測定及び前記他覚式測定手段による他覚測定を、被検者の眼前に前記矯正光学系を配置することなく開放状態で行う」とは、「前記自覚式測定手段による自覚測定及び前記他覚式測定手段による他覚測定を、被検者の眼前に前記矯正光学系を配置することがない状態で行う」で一致するといえる。
　ク　上記ア〜キを総合すると、本願発明１と引用発明２とは、
（一致点）
　「視標光束を被検眼に向けて投影する投光光学系と、
　左右一対に設けられた右眼用矯正光学系と左眼用矯正光学系を有し、前記投光光学系の光路中に配置され、前記視標光束の光学特性を変化する矯正光学系と、
　前記右眼用矯正光学系を含む右眼用光路と，前記左眼用矯正光学系を含む左眼用光路と，に配置されるミラーであって、前記矯正光学系によって矯正された前記視標光束を前記ミラーによって、前記被検眼方向に反射することで前記被検眼に前記視標光束を導光し、前記矯正光学系によって矯正された前記視標光束の像を光学的に所定の検査距離となるように前記被検眼に導光するミラーと、
　を有し、前記被検眼の光学特性を自覚的に測定する自覚式測定手段を備える自覚式検眼装置であって、
　前記ディスプレイとは異なる光源である測定光源から前記被検眼の眼底に測定光を出射し、その反射光を撮像素子によって受光する左右一対の測定光学系を有し、前記測定光学系の光路に配置された前記ミラーを介して、前記被検眼の光学特性を他覚的に測定する他覚式測定手段であって、前記撮像素子による撮像結果を解析することで前記被検眼の眼屈折力を他覚的に測定する他覚式測定手段を備え、
　前記自覚式測定手段による自覚測定及び前記他覚式測定手段による他覚測定を、被検者の眼前に前記矯正光学系を配置することない状態で行う、
自覚式検眼装置。」
の点で一致し、以下の点で相違するものと認められる。
　　　
（相違点２−１）
　「視標光束」が、本願発明１では「ディスプレイから」であるのに対し、引用発明２では、「視標板から」である点。
（相違点２−２）
　「ミラー」が、本願発明１では「前記右眼用矯正光学系を含む右眼用光路と、前記左眼用矯正光学系を含む左眼用光路と、で共有される凹面ミラー」であるのに対し、引用発明２では、左右一対の「プリズム」である点。
（相違点２−３）
　「前記自覚式測定手段による自覚測定及び前記他覚式測定手段による他覚測定」を，本願発明１では「被検者の眼前に前記矯正光学系を配置することなく開放状態で行う」のに対し，引用発明２では，「被検者の眼前にプリズムのみを配置することにより行う」であって「開放状態」であるどうか不明である点。
（２）相違点２−２についての判断
　請求人の主張を鑑みて、上記相違点２−２について検討する。 
　引用発明１の「右眼用補正光学系を含む右眼用光路と，左眼用補正光学系を含む左眼用光路と，で共有される視野鏡（凹面鏡）であって、被検眼方向に反射することで前記被検眼に視標光束を導光し、前記補正光学系によって補正された前記視標光束の実像を光学的に所定の検査距離となるように前記被検眼に導光する視野鏡（凹面鏡）」は、上記記載事項（１−ウ）の「この発明の追加的有利性は、
患者の顔近くの嵩張った機器によって引き起こされる不自然な焦点入力の回避
顔あるいは眼の直前に装備される物を要求しない
　しかしながら、引用文献２には、引用発明２の「一対のプリズム」を引用発明１の「単一の視野鏡（凹面鏡）」に変更する動機付けとなる記載・示唆はなく、このような変更が周知であるともいえない。また、上記記載事項（３−ウ）の「【００３０】
１対の矯正光学系２０Ｒ，２０Ｌを通過した各光束
追尾用ミラー３３を通過した光束は、凹面鏡３４によって反射される。そして、その反射光は、追尾用ミラー３３によって反射され、被検眼ＥＲ，ＥＬに到達し、両眼底上に視標の像を形成させる。
矯正光学系２０Ｒ，２０Ｌがあたかも眼前に配置されたことと等価になっており、被検者は追尾用ミラー３３を介して自然の状態で視標の像を視準する
　また、本願の出願前に頒布された刊行物である特公平３−１５４４８号公報には、「こうして、１対の矯正光学系Ｋ１，Ｋ２を通過した各光束は第２投影レンズ１２、ハーフミラー１３、第３投影レンズ１４、およびハーフミラー１５をそれぞれ介して被検眼Ｅ１，Ｅ２に到達し、被検眼瞳を通過して両眼底上に視標４の像を形成させる。・・・・・したがって、
矯正光学系Ｋ１，Ｋ２があたかも眼前に配置されたことと等価になっており、被検者はハーフミラー１５を介して自然視の状態で視標４の像を視準する
屈折度測定を行なう
　してみると，引用文献１，３および５の記載を考慮しても、引用発明２において、相違点２−２における本願発明１の構成とすることは、当業者が容易に発明をすることができたものではない。
（３）効果について
　そして、本願発明１は、相違点２−２により、本件出願明細書の段落【０００５】に記載された「
自然な状態下での自覚式測定及び他覚式測定を可能
（４）まとめ
　したがって、本願発明１は、相違点２−１および相違点２−３について検討するまでもなく、引用発明２および引用文献１記載の事項に基づいて当業者が容易に発明をすることができたものではない。
３　本願発明２，３について
　本願発明２，３は、本願発明１を技術的に限定的に減縮した発明であるから、本願発明１と同じ理由により、引用発明１あるいは２および引用文献３〜５記載の事項に基づいて当業者が容易に発明をすることができたものではない。
第６　むすび
　以上のとおり、本願発明１〜３は、引用発明１あるいは２および引用文献３〜５記載の事項に基づいて当業者が容易に発明をすることができたものではない。
　したがって、原査定の理由によっては、本願を拒絶することはできない。
　また、他に本願を拒絶すべき理由を発見しない。
　よって、結論のとおり審決する。